(57)【要約】【課題】コンテンツを視聴する状況が変化しても、ユーザがコンテンツに応じた適切な視聴を行えるようにする。【解決手段】コンテンツ再生装置１０は、コンテンツの再生に際し、周囲の騒音のレベルを検知し、コンテンツの属性を特定する。コンテンツ再生装置１０は、検知した騒音のレベルと、コンテンツの属性に基づいて、コンテンツの音声の出力先を選択する。コンテンツ再生装置１０は、選択した出力先へコンテンツの音声を出力する。コンテンツ再生装置１０は、コンテンツの再生中に周囲の騒音のレベルが変化した場合、コンテンツの音声の出力先を騒音のレベルに応じて変更する。【選択図】図１
2019029828.tif 000002
【特許請求の範囲】
【請求項１】
コンテンツを取得する取得手段と、
前記取得手段が取得したコンテンツを再生する再生手段と、
自装置の周囲の状況を特定する特定手段と、
前記再生手段で再生されたコンテンツの音声の出力先を、当該コンテンツの属性と、前記特定手段が特定した状況に基づいて複数の出力先の中から選択する選択手段と、
前記選択手段が選択した出力先へ、前記再生手段で再生されたコンテンツの音声を出力する出力手段と
を備える再生装置。
【請求項２】
前記特定手段は、自装置の周囲の雑音レベルを特定し、
前記選択手段は、前記再生手段で再生されたコンテンツの音声の出力先を、当該コンテンツの属性と、前記特定手段が特定した雑音レベルに基づいて選択する
請求項１に記載の再生装置。
【請求項３】
前記特定手段は、自装置のユーザの位置を特定し、
前記選択手段は、前記再生手段で再生されたコンテンツの音声の出力先を、当該コンテンツの属性と、前記特定手段が特定した位置に基づいて選択する
請求項１に記載の再生装置。
【請求項４】
前記特定手段は、自装置の周囲にいる人の数を特定し、
前記選択手段は、前記再生手段で再生されたコンテンツの音声の出力先を、当該コンテンツの属性と、前記特定手段が特定した数に基づいて選択する
請求項１に記載の再生装置。
【請求項５】
コンピュータを、
コンテンツを取得する取得手段と、
前記取得手段が取得したコンテンツを再生する再生手段と、
自装置の周囲の状況を特定する特定手段と、
前記再生手段で再生されたコンテンツの音声の出力先を、当該コンテンツの属性と、前記特定手段が特定した状況に基づいて複数の出力先の中から選択する選択手段と、
前記選択手段が選択した出力先へ、前記再生手段で再生されたコンテンツの音声を出力する出力手段
として機能させるためのプログラム。
【請求項６】
コンテンツを取得する取得ステップと、
前記取得ステップで取得したコンテンツを再生する再生ステップと、
自装置の周囲の状況を特定する特定ステップと、
前記再生ステップで再生されたコンテンツの音声の出力先を、当該コンテンツの属性と、前記特定ステップで特定した状況に基づいて複数の出力先の中から選択する選択ステップと、
前記選択ステップで選択した出力先へ、前記再生ステップで再生されたコンテンツの音声を出力する出力ステップと
を備える再生方法。
【発明の詳細な説明】
【技術分野】
【０００１】
本発明は、再生装置、プログラムおよび再生方法に関する。
【背景技術】
【０００２】
特許文献１には、楽曲を表す曲データの内容に応じて、楽曲を出力する装置を切り替える音響システムが開示されている。この音響システムによれば、楽曲の周波数特性に応じた装置で楽曲を出力することができる。
【先行技術文献】
【特許文献】
【０００３】
【特許文献１】特開２０１６−８２４５６号公報
【発明の概要】
【発明が解決しようとする課題】
【０００４】
ユーザがコンテンツを視聴する場合、コンテンツを視聴する状況は、例えば雑音やユーザの位置、視聴する人数等によって変化する。そして、変化後の状況によっては、それまでに音を出力していた装置では音が聞き取りにくくなるなど、音を出力していた装置がユーザにとって適切な装置でなくなる場合がある。
【０００５】
本発明は、コンテンツを視聴する状況が変化しても、ユーザがコンテンツに応じた適切な視聴を行えるようにすることを目的とする。
【課題を解決するための手段】
【０００６】
本発明は、コンテンツを取得する取得手段と、前記取得手段が取得したコンテンツを再生する再生手段と、自装置の周囲の状況を特定する特定手段と、前記再生手段で再生されたコンテンツの音声の出力先を、当該コンテンツの属性と、前記特定手段が特定した状況に基づいて複数の出力先の中から選択する選択手段と、前記選択手段が選択した出力先へ、前記再生手段で再生されたコンテンツの音声を出力する出力手段とを備える再生装置を提供する。
【０００７】
本発明においては、前記特定手段は、自装置の周囲の雑音レベルを特定し、前記選択手段は、前記再生手段で再生されたコンテンツの音声の出力先を、当該コンテンツの属性と、前記特定手段が特定した雑音レベルに基づいて選択する構成であってもよい。
【０００８】
また、本発明においては、前記特定手段は、自装置のユーザの位置を特定し、前記選択手段は、前記再生手段で再生されたコンテンツの音声の出力先を、当該コンテンツの属性と、前記特定手段が特定した位置に基づいて選択する構成としてもよい。
【０００９】
また、本発明においては、前記特定手段は、自装置の周囲にいる人の数を特定し、前記選択手段は、前記再生手段で再生されたコンテンツの音声の出力先を、当該コンテンツの属性と、前記特定手段が特定した数に基づいて選択する構成としてもよい。
【００１０】
また、本発明は、コンピュータを、コンテンツを取得する取得手段と、前記取得手段が取得したコンテンツを再生する再生手段と、自装置の周囲の状況を特定する特定手段と、前記再生手段で再生されたコンテンツの音声の出力先を、当該コンテンツの属性と、前記特定手段が特定した状況に基づいて複数の出力先の中から選択する選択手段と、前記選択手段が選択した出力先へ、前記再生手段で再生されたコンテンツの音声を出力する出力手段として機能させるためのプログラムを提供する。
【００１１】
また、本発明は、コンテンツを取得する取得ステップと、前記取得ステップで取得したコンテンツを再生する再生ステップと、自装置の周囲の状況を特定する特定ステップと、前記再生ステップで再生されたコンテンツの音声の出力先を、当該コンテンツの属性と、前記特定ステップで特定した状況に基づいて複数の出力先の中から選択する選択ステップと、前記選択ステップで選択した出力先へ、前記再生ステップで再生されたコンテンツの音声を出力する出力ステップとを備える再生方法を提供する。
【発明の効果】
【００１２】
本発明によれば、コンテンツを視聴する状況が変化しても、ユーザがコンテンツに応じた適切な視聴を行うことができる。
【図面の簡単な説明】
【００１３】
【図１】本発明の一実施形態に係る再生システムに含まれる装置を示した図。
【図２】コンテンツ再生装置１０のハードウェア構成の一例を示した図。
【図３】コンテンツ再生装置１０において実現する機能を示した機能ブロック図。
【図４】コンテンツ再生装置１０が行う処理の流れを示したフローチャート。
【図５】コンテンツ再生装置１０が行う処理の流れを示したフローチャート。
【発明を実施するための形態】
【００１４】
［実施形態］
図１は、本発明の一実施形態に係る再生システム１に含まれる装置を示した図である。コンテンツ再生装置１０は、コンテンツを取得し、取得したコンテンツを再生する装置である。コンテンツ再生装置１０は、コンテンツを再生し、コンテンツの音声を内部スピーカまたは外部機器で出力する。なお、コンテンツ再生装置１０は、本発明の処理を行うコンピュータとして機能してもよい。
【００１５】
外部スピーカ２０は、エンクロージャーと一または複数のスピーカユニットを有するスピーカである。外部スピーカ２０は、コンテンツ再生装置１０に有線で接続されており、コンテンツ再生装置１０から供給される音声信号が表す音声を出力する。なお、外部スピーカ２０は、音声信号を有線ではなく無線により取得する構成であってもよい。ヘッドフォン４０は、コンテンツ再生装置１０から無線により出力される音声信号を取得し、取得した音声信号が表す音声を出力する。なお、ヘッドフォン４０は、音声信号を無線ではなく有線により取得する構成であってもよい。
【００１６】
（コンテンツ再生装置１０の構成）
図２は、コンテンツ再生装置１０のハードウェア構成の一例を示した図である。通信部１０５は、有線および／または無線ネットワークを介してコンピュータ間の通信を行うためのハードウェア（送受信デバイス）であり、例えばネットワークデバイス、ネットワークコントローラ、ネットワークカード、通信モジュールなどともいう。通信部１０５は、ネットワークを介して音声通信やデータ通信を行う。例えば、通信部１０５は、インターネットで配信されるラジオ放送のデータを取得する。また、通信部１０５は、ネットワークを介してアクセス可能なサーバから楽曲や動画などのコンテンツのデータを取得する。これらのデータは、本発明に係るコンテンツの一例である。近距離通信部１０６は、Bluetooth（登録商標）や無線ＬＡＮの通信などの近距離無線通信の通信インターフェースとして機能する。近距離通信部１０６は、本発明に係る出力手段の一例である。出力部１０３は、音声信号を出力する出力端子を有しており、出力端子にケーブルで接続された外部スピーカ２０へ音声信号を出力する。出力部１０３も、本発明に係る出力手段の一例である。音声処理部１０７は、マイクロフォンとスピーカ（内蔵スピーカ）を有している。音声処理部１０７は、供給される音声信号を内蔵スピーカへ出力する。内蔵スピーカは、音声信号が表す音声を出力する。また、音声処理部１０７は、マイクロフォンが取得した音声をデジタル信号に変換し、このデジタル信号を制御部１０１へ供給する。
【００１７】
記憶部１０２は、不揮発性メモリを有しており、制御部１０１が実行するプログラムを記憶している。また、記憶部１０２は、通信部１０５がサーバから取得したコンテンツのデータを記憶する。なお、プログラムは、電気通信回線を介してネットワークから送信されてもよい。記憶部１０２は、コンピュータ読み取り可能な記録媒体であり、例えば、ＣＤ−ＲＯＭ（Compact  Disc  ＲＯＭ）などの光ディスク、ハードディスクドライブ、フレキシブルディスク、光磁気ディスク（例えば、コンパクトディスク、デジタル多用途ディスク、Ｂｌｕ−ｒａｙ（登録商標）ディスク）、スマートカード、フラッシュメモリ（例えば、カード、スティック、キードライブ）、フロッピー（登録商標）ディスク、磁気ストリップなどの少なくとも１つで構成されてもよい。記憶部１０２は、補助記憶装置と呼ばれてもよい。
【００１８】
制御部１０１は、ＣＰＵ（Central Processing Unit）およびメモリを有している。コンテンツ再生装置１０において実現する機能は、記憶部１０２に記憶されているプログラム（ソフトウェア）をＣＰＵ、メモリなどのハードウェア上に読み込ませることでＣＰＵが演算を行い、出力部１０３の制御、通信部１０５の制御、近距離通信部１０６の制御、音声処理部１０７の制御、メモリおよび記憶部１０２におけるデータの読み出しおよび／または書き込みの制御を行うことで実現される。後述の各種処理は、１つのＣＰＵでの実行に限定されるものではなく、２以上のＣＰＵにより同時または逐次に実行されてもよい。ＣＰＵは、１以上のチップで実装されてもよい。制御部１０１は、周辺装置とのインターフェース、制御装置、演算装置、レジスタなどを含む中央処理装置（ＣＰＵ：Central  Processing  Unit）で構成されてもよい。メモリは、コンピュータ読み取り可能な記録媒体であり、例えば、ＲＯＭ（Read  Only  Memory）、ＥＰＲＯＭ（Erasable  Programmable  ＲＯＭ）、ＥＥＰＲＯＭ（Electrically Erasable Programmable ＲＯＭ）、ＲＡＭ（Random  Access  Memory）などの少なくとも１つで構成されてもよい。メモリは、レジスタ、キャッシュ、メインメモリ（主記憶装置）などと呼ばれてもよい。メモリは、本発明の一実施形態に係る処理を実施するために実行可能なプログラム（プログラムコード）、ソフトウェアモジュールなどを保存することができる。
【００１９】
図３は、制御部１０１が記憶部１０２に記憶されているプログラムを実行することにより実現する機能のうち、本発明に係る機能の構成を示した機能ブロック図である。取得部１００１は、コンテンツのデータを記憶部１０２または通信部１０５から取得する。再生部１００２は、取得部１００１が取得したコンテンツを再生する。特定部１００３は、音声処理部１０７のマイクロフォンが収音した音を表すデジタル信号を取得し、取得したデジタル信号を解析してコンテンツ再生装置の周囲の状況を特定する。音声認識部１００５は、音声処理部１０７のマイクロフォンが収音した音を表すデジタル信号を取得し、取得したデジタル信号を解析してユーザの音声を認識する。選択部１００４は、コンテンツの音声の出力先を特定部１００３が特定した状況と、再生部１００２が再生するコンテンツの属性に基づいて選択する。選択部１００４は、音声認識部１００５が行った音声認識の結果に基づいて、再生部１００２が再生するコンテンツの音声が選択した出力先へ出力されるように、出力部、近距離通信部１０６、音声処理部１０７を制御する。
【００２０】
（実施形態の動作例）
次に本実施形態の動作の一例について説明する。コンテンツ再生装置１０は、マイクロフォンが取得したユーザの音声の音声認識を行う。コンテンツ再生装置１０は、認識した音声の内容がコンテンツの再生を指示する内容である場合、再生するコンテンツを問い合わせる音声を内蔵スピーカから出力する。コンテンツ再生装置１０は、再生するコンテンツをユーザが音声で指示すると、音声認識を行い、認識したコンテンツを取得する。
【００２１】
例えば、ユーザは、記憶部１０２に記憶されているコンテンツを再生する場合、再生するコンテンツのタイトル名を音声で発し、インターネットで配信されているラジオ放送を再生する場合、視聴する放送局名を音声で発する。コンテンツ再生装置１０（取得部１００１）は、記憶部１０２に記憶されているコンテンツのタイトル名を認識した場合、認識したタイトル名のコンテンツを記憶部１０２から取得する。また、コンテンツ再生装置１０（取得部１００１）は、ラジオ放送の放送局名を認識した場合、認識した放送局が配信しているラジオ放送のデータを、通信部１０５を制御して取得する。
【００２２】
次にコンテンツ再生装置１０は、コンテンツの音声の音声信号を出力する前に、音声信号の出力先を選択する処理を行う。図４は、音声信号の出力先を選択する処理の流れを示したフローチャートである。まずコンテンツ再生装置１０（特定部１００３）は、音声処理部１０７のマイクロフォンから供給されるデジタル信号を解析し、騒音（ノイズ）のレベルを検知する（ステップＳＡ１）。
【００２３】
次にコンテンツ再生装置１０（選択部１００４）は、再生するコンテンツの属性を特定する（ステップＳＡ２）。コンテンツ再生装置１０は、ラジオ放送の音声を再生する場合、コンテンツの属性がラジオ放送であると特定し、記憶部１０２から取得した楽曲のコンテンツを再生する場合、コンテンツの属性が楽曲であると特定する。
【００２４】
次にコンテンツ再生装置１０（選択部１００４）は、コンテンツの音声信号の出力先を選択する（ステップＳＡ３）。ここでコンテンツ再生装置１０は、ステップＳＡ１で検知したレベルとステップＳＡ２で特定したコンテンツの属性により出力先を選択する。具体的には、コンテンツ再生装置１０は、再生するコンテンツの属性が楽曲であり、検知した騒音のレベルが予め定められた閾値未満である場合、ステップＳＡ３の開始時点で音声信号の出力先として選択されている出力先を、音声信号の出力先とする。例えば、コンテンツ再生装置１０は、再生するコンテンツの属性が楽曲であり、検知した騒音のレベルが予め定められた閾値未満であり、ステップＳＡ３の開始時点で音声信号の出力先が外部スピーカ２０となっている場合、音声信号の出力先として外部スピーカ２０を選択する。また、コンテンツ再生装置１０は、再生するコンテンツの属性が楽曲であり、検知した騒音のレベルが予め定められた閾値以上である場合、音声信号の出力先としてヘッドフォン４０を選択する。また、コンテンツ再生装置１０は、再生するコンテンツの属性がラジオ放送であり、検知した騒音のレベルが予め定められた閾値未満である場合、音声信号の出力先として内蔵スピーカを選択する。また、コンテンツ再生装置１０は、再生するコンテンツの属性がラジオ放送であり、検知した騒音のレベルが予め定められた閾値以上である場合、音声信号の出力先としてヘッドフォン４０を選択する。コンテンツ再生装置１０（選択部１００４）は、選択した出力先からコンテンツの音声が出力されるように音声処理部１０７、近距離通信部１０６、出力部１０３を制御する。
【００２５】
次にコンテンツ再生装置１０（選択部１００４）は、選択した出力先をユーザに通知する（ステップＳＡ４）。コンテンツ再生装置１０（再生部１００２）は、音声信号の出力先を通知すると、取得したコンテンツを再生する（ステップＳＡ５）。例えば、コンテンツ再生装置１０は、音声信号の出力先として選択した出力先が外部スピーカ２０である場合、「外部スピーカで音声を出力します」という音声を内蔵スピーカから出力する。次にコンテンツ再生装置１０は、コンテンツの再生を開始し、再生したコンテンツの音声を表す音声信号を出力部１０３から外部スピーカ２０へ出力する。外部スピーカ２０は、コンテンツ再生装置１０から供給される音声信号が表す音声を出力する。また、コンテンツ再生装置１０は、音声信号の出力先として選択した出力先がヘッドフォン４０である場合、「ヘッドフォンで音声を出力します」という音声を内蔵スピーカから出力する。次にコンテンツ再生装置１０は、コンテンツの再生を開始し、再生したコンテンツの音声を表す音声信号を近距離通信部１０６から出力する。ヘッドフォン４０は、コンテンツ再生装置１０から供給される音声信号を取得し、取得した音声信号が表す音声を出力する。また、コンテンツ再生装置１０は、音声信号の出力先として選択した出力先が内蔵スピーカである場合、「内蔵スピーカで音声を出力します」という音声を内蔵スピーカから出力する。次にコンテンツ再生装置１０は、コンテンツの再生を開始し、再生したコンテンツの音声を内蔵スピーカで出力する。
【００２６】
コンテンツ再生装置１０は、コンテンツの再生を開始すると、図５の処理を行う。コンテンツ再生装置１０（特定部１００３）は、音声処理部１０７のマイクロフォンから供給されるデジタル信号を解析し、騒音（ノイズ）のレベルを検知する（ステップＳＢ１）。例えば、コンテンツ再生装置１０は、マイクロフォンから供給されるデジタル信号において、ユーザの音声と、出力している音声信号が表す音声をキャンセルし、キャンセル後の音声のレベルを騒音のレベルとする。
【００２７】
次にコンテンツ再生装置１０（選択部１００４）は、コンテンツの音声信号の出力先を選択する（ステップＳＢ２）。ここでコンテンツ再生装置１０は、ステップＳＢ１で検知したレベルとステップＳＡ２で特定したコンテンツの属性により出力先を選択する。ステップＳＢ１で検知した騒音のレベルは、コンテンツ再生装置１０の周囲の状況の一例である。即ち、コンテンツ再生装置１０は、コンテンツ再生装置１０の周囲の状況およびコンテンツの属性により出力先を選択する。
【００２８】
具体的には、コンテンツ再生装置１０は、再生するコンテンツの属性が楽曲であり、検知した騒音のレベルが予め定められた閾値未満である場合、ステップＳＢ２の開始時点で音声信号の出力先として選択されている出力先を、音声信号の出力先とする。例えば、コンテンツ再生装置１０は、再生するコンテンツの属性が楽曲であり、ステップＳＢ２の開始時点で音声信号の出力先が外部スピーカ２０となっている場合、音声信号の出力先として外部スピーカ２０を選択する。また、コンテンツ再生装置１０は、再生するコンテンツの属性が楽曲であり、検知した騒音のレベルが予め定められた閾値以上である場合、音声信号の出力先としてヘッドフォン４０を選択する。
【００２９】
また、コンテンツ再生装置１０は、再生するコンテンツの属性がラジオ放送であり、検知した騒音のレベルが予め定められた閾値未満である場合、音声信号の出力先として内蔵スピーカを選択する。また、コンテンツ再生装置１０は、再生するコンテンツの属性がラジオ放送であり、検知した騒音のレベルが予め定められた閾値以上である場合、音声信号の出力先としてヘッドフォン４０を選択する。
【００３０】
次にコンテンツ再生装置１０（選択部１００４）は、ステップＳＢ２の開始時点での音声信号の出力先と、ステップＳＢ２で選択した音声信号の出力先とが同じであるか判断する（ステップＳＢ３）。コンテンツ再生装置１０は、ステップＳＢ２の開始時点での音声信号の出力先と、ステップＳＢ２で選択した音声信号の出力先とが同じである場合（ステップＳＢ３でＹＥＳ）、処理の流れをステップＳＢ８へ移す。
【００３１】
コンテンツ再生装置１０（選択部１００４）は、ステップＳＢ２の開始時点での音声信号の出力先と、ステップＳＢ２で選択した音声信号の出力先とが異なる場合（ステップＳＢ３でＮＯ）、音声信号の出力先の変更を行うか問い合わせる音声を出力する（ステップＳＢ４）。
【００３２】
例えば、コンテンツの属性が楽曲であり、音声信号の出力先が外部スピーカ２０であり、騒音のレベルが閾値未満である状態から、騒音のレベルが閾値以上となると、ステップＳＢ２において音声信号の出力先としてヘッドフォン４０が選択され、ステップＳＢ２の開始時点での音声信号の出力先と、ステップＳＢ２で選択した音声信号の出力先とが異なる状態となる。この場合、コンテンツ再生装置１０は、ステップＳＢ３でＮＯと判断し、例えば「音声の出力先をヘッドフォンに変更しますか？」との音声を内蔵スピーカから出力し、音声の出力先を変更するか否かをユーザに問い合わせる。
【００３３】
また、コンテンツの属性がラジオ放送であり、音声信号の出力先が内蔵スピーカであり、騒音のレベルが閾値未満である状態から、騒音のレベルが閾値以上となると、ステップＳＢ２において音声信号の出力先としてヘッドフォン４０が選択され、ステップＳＢ２の開始時点での音声信号の出力先と、ステップＳＢ２で選択した音声信号の出力先とが異なる状態となる。この場合、コンテンツ再生装置１０は、ステップＳＢ３でＮＯと判断し、例えば「音声の出力先をヘッドフォンに変更しますか？」との音声を内蔵スピーカから出力し、音声の出力先を変更するか否かをユーザに問い合わせる。
【００３４】
また、コンテンツの属性がラジオ放送であり、音声信号の出力先がヘッドフォン４０であり、騒音のレベルが閾値以上である状態から、騒音のレベルが閾値未満となると、ステップＳＢ２において音声信号の出力先として内蔵スピーカが選択され、ステップＳＢ２の開始時点での音声信号の出力先と、ステップＳＢ２で選択した音声信号の出力先とが異なる状態となる。この場合、コンテンツ再生装置１０は、ステップＳＢ３でＮＯと判断し、例えば「音声の出力先を内蔵スピーカに変更しますか？」との音声を表す音声信号をヘッドフォン４０へ出力し、音声の出力先を変更するか否かをユーザに問い合わせる。
【００３５】
ユーザは、ステップＳＢ４で出力された音声に応じて音声を発する。コンテンツ再生装置１０（音声認識部１００５）は、ユーザが音声を発すると、音声認識を行う（ステップＳＢ５）。次にコンテンツ再生装置１０（選択部１００４）は、音声認識の結果が、音声信号の出力先の変更を指示する内容であるか判断する（ステップＳＢ６）。コンテンツ再生装置１０は、音声認識の結果、ユーザが発した音声が出力先の変更を指示する内容ではない場合（ステップＳＢ６でＮＯ）、音声の出力先を変更せず、処理の流れをステップＳＢ８へ移す。なお、コンテンツ再生装置１０は、ステップＳＢ４の処理を終えた後、予め定められた時間が経過してもユーザの音声を認識しなかった場合にも、処理の流れをステップＳＢ８へ移すようにしてもよい。
【００３６】
コンテンツ再生装置１０（選択部１００４）は、ユーザが発した音声が出力先の変更を指示する内容である場合（ステップＳＢ６でＹＥＳ）、音声の出力先をステップＳＢ２で選択した出力先に変更する（ステップＳＢ７）。例えば、コンテンツ再生装置１０は、音声信号の出力先を外部スピーカ２０からヘッドフォン４０に変更する場合、外部スピーカ２０への音声信号の出力を停止し、近距離通信部１０６から無線通信により音声信号をヘッドフォン４０へ出力する。これにより、外部スピーカ２０からはコンテンツの音が出力されなくなり、ヘッドフォン４０からコンテンツの音が出力される。ユーザは、騒音のレベルが大きい状況においては、ヘッドフォン４０から出力される音を聞くため、騒音に遮られることなくコンテンツの音声を聞くことができる。
【００３７】
また、コンテンツ再生装置１０は、音声信号の出力先を内蔵スピーカからヘッドフォン４０に変更する場合、内蔵スピーカへの音声信号の供給を停止し、近距離通信部１０６から無線通信により音声信号をヘッドフォン４０へ出力する。これにより、内蔵スピーカからはコンテンツの音が出力されなくなり、ヘッドフォン４０からコンテンツの音が出力される。ユーザは、騒音のレベルが大きい状況においては、ヘッドフォン４０から出力される音を聞くため、騒音に遮られることなくコンテンツの音声を聞くことができる。
【００３８】
また、コンテンツ再生装置１０は、音声信号の出力先をヘッドフォン４０から内蔵スピーカに変更する場合、近距離通信部１０６からの音声信号の出力を停止し、音声信号を内蔵スピーカへ供給する。これにより、ヘッドフォン４０からはコンテンツの音が出力されなくなり、内蔵スピーカからコンテンツの音が出力される。騒音のレベルが小さい状況では、内部スピーカからコンテンツの音が出力されるため、ユーザは、騒音に遮られることなく、内蔵スピーカから出力されるコンテンツの音を聞くことができる。
【００３９】
コンテンツ再生装置１０は、ステップＳＢ７の処理を終えた後、ステップＳＢ３でＹＥＳと判断した場合、またはステップＳＢ６でＮＯと判断した場合、コンテンツの再生が終了したか判断する（ステップＳＢ８）。例えば、コンテンツ再生装置１０は、記憶部１０２から取得したコンテンツを再生している場合、コンテンツの再生を終えていないと、コンテンツの再生が終了していないと判断し、処理の流れをステップＳＢ１へ戻す。また、コンテンツ再生装置１０は、コンテンツの再生停止を指示するユーザの音声を認識していない場合、処理の流れをステップＳＢ１へ戻す。コンテンツ再生装置１０は、記憶部１０２から取得したコンテンツの再生を終えると、ステップＳＢ８でコンテンツの再生が終了したと判断し、図５の処理を終了する。また、コンテンツ再生装置１０は、コンテンツの再生停止を指示するユーザの音声を認識した場合、ステップＳＢ８でコンテンツの再生が終了したと判断し、図５の処理を終了する。
【００４０】
本発明によれば、コンテンツの属性とコンテンツ再生装置１０の周囲の状況に応じて音声信号の出力先が変更されるため、コンテンツを視聴する状況が変化してもコンテンツに応じて適切に音声を視聴することができる。
【００４１】
［変形例］
以上、本発明の実施形態について説明したが、本発明は上述した実施形態に限定されることなく、他の様々な形態で実施可能である。例えば、上述の実施形態を以下のように変形して本発明を実施してもよい。なお、上述した実施形態および以下の変形例は、各々を組み合わせてもよい。
【００４２】
本発明においては、騒音のレベルの変化が変化したときだけでなく、ユーザが発した音声に応じて、音声信号の出力先を変更してもよい。
【００４３】
上述した実施形態においては、コンテンツ再生装置１０がユーザの音声を認識しているが、外部のサーバ装置へユーザの音声を表す情報を送信し、送信した情報を用いて外部のサーバ装置がユーザの音声を認識し、認識結果をコンテンツ再生装置１０へ送る構成であってもよい。
【００４４】
上述した実施形態においては、コンテンツ再生装置１０は、周囲の状況およびコンテンツの属性により音声信号の出力先を選択し、コンテンツ再生装置１０の周囲の状況の一例として、騒音のレベルを用いているが、周囲の状況は騒音のレベルに限定されるものではない。例えば、コンテンツ再生装置１０が撮像素子を有し、撮像素子で得られた画像から周囲にいる人間の距離および／または人数を特定し、特定結果とコンテンツの属性に応じて音声信号の出力先を選択してもよい。例えば、コンテンツ再生装置１０は、周囲にいる人間の人数を特定し、コンテンツがロックであり、周囲にいる人間の人数が二人以上である場合、音声信号の出力先として外部スピーカ２０を選択し、コンテンツがロックであり、周囲にいる人間の人数が一人である場合、音声信号の出力先としてヘッドフォン４０を選択してもよい。また、コンテンツ再生装置１０は、コンテンツ再生装置１０からユーザまでの距離が外部スピーカ２０からユーザまでの距離より遠く、コンテンツの属性がクラシックである場合、音声信号の出力先として内蔵スピーカを選択し、外部スピーカ２０からユーザまでの距離がコンテンツ再生装置１０からユーザまでの距離より遠く、コンテンツの属性がクラシックである場合、音声信号の出力先として外部スピーカ２０を選択してもよい。
【００４５】
また、コンテンツ再生装置１０は、予め定められたユーザの位置を撮像素子で得られた画像から特定し、特定した位置とコンテンツの属性に応じて音声信号の出力先を選択するようにしてもよい。コンテンツ再生装置１０は、予め定められたユーザの位置を特定し、コンテンツ再生装置１０から特定した位置までの距離が予め定められた閾値以上であり、コンテンツの属性がクラシックである場合、音声信号の出力先として外部スピーカ２０を選択し、コンテンツ再生装置１０から特定した位置までの距離が予め定められた閾値未満であり、コンテンツの属性がクラシックである場合、音声信号の出力先として内蔵スピーカを選択してもよい。
【００４６】
コンテンツ再生装置１０は、予め定められたユーザを撮像素子で得られた画像から認識する場合、予め定められたユーザ以外の人間の有無に応じて音声信号の出力先を変更するようにしてもよい。コンテンツ再生装置１０は、予め定められたユーザ以外の人間がコンテンツ再生装置１０の周囲に存在し、コンテンツの属性がクラシックである場合、音声信号の出力先としてヘッドフォン４０を選択し、予め定められたユーザ以外の人間がコンテンツ再生装置１０の周囲に存在せず、コンテンツの属性がクラシックである場合、音声信号の出力先として外部スピーカ２０または内蔵スピーカを選択してもよい。
【００４７】
本発明においては、コンテンツ再生装置１０は、時間帯も加味して音声信号の出力先を選択する構成としてもよい。例えば、上述した実施形態では、コンテンツ再生装置１０は、コンテンツの属性がラジオ放送であり、騒音のレベルが閾値未満であり、時刻が昼の時間帯である場合には、音声信号の出力先を内蔵スピーカとし、コンテンツの属性がラジオ放送であり、騒音のレベルが閾値未満であり、時刻が夜の時間帯である場合には、音声信号の出力先をヘッドフォン４０としてもよい。
【００４８】
本発明においては、コンテンツ再生装置１０は、マイクロフォンで取得する音声により、複数のユーザの各々を認識してもよい。コンテンツ再生装置１０は、複数のユーザの各々を認識する場合、同じ状況と同じコンテンツであっても、音声信号の出力先がユーザ毎に設定されている構成であってもよい。
【００４９】
本発明においては、コンテンツの音声として、音声アシスタントの音声を含めてもよい。音声アシスタントの音声を出力する際にも、上述した実施形態でコンテンツが楽曲である場合と同様に音声の出力先を変更してもよい。
【００５０】
上述した実施形態においては、コンテンツ再生装置１０は、ネットワークを介してコンテンツを取得しているが、近距離通信部１０６で他の装置から近距離通信でコンテンツを取得してもよい。また、ＵＳＢメモリ、メモリカードなどの外部メモリにアクセスするインターフェースをコンテンツ再生装置１０に設け、インターフェースに装着された外部メモリからコンテンツを取得してもよい。
【００５１】
上述した実施形態においては、コンテンツ再生装置１０は、ユーザの音声の認識結果が音声信号の出力先の変更を指示する内容である場合、音声信号の出力先を変更しているが、音声信号の出力先を変更する構成は、実施形態の構成に限定されるものではない。例えば、コンテンツ再生装置１０は、ステップＳＢ３の後、音声信号の出力先をステップＳＢ２で選択した出力先へ変更する内容の音声を出力し、ステップＳＢ３〜ステップＳＢ６の処理を行わない構成としてもよい。
【００５２】
上記実施形態の説明に用いたブロック図は、機能単位のブロックを示している。これらの機能ブロック（構成部）は、ハードウェアおよび／またはソフトウェアの任意の組み合わせによって実現される。また、各機能ブロックの実現手段は特に限定されない。即ち、各機能ブロックは、物理的および／または論理的に結合した１つの装置により実現されてもよいし、物理的および／または論理的に分離した２つ以上の装置を直接的および／または間接的に（例えば、有線および／または無線）で接続し、これら複数の装置により実現されてもよい。
【００５３】
また、コンテンツ再生装置１０は、マイクロプロセッサ、デジタル信号プロセッサ（ＤＳＰ：Digital  Signal  Processor）、ＡＳＩＣ（Application  Specific  Integrated  Circuit）、ＰＬＤ（Programmable  Logic  Device）、ＦＰＧＡ（Field  Programmable  Gate  Array）などのハードウェアを含んで構成されてもよく、当該ハードウェアにより、各機能ブロックの一部または全てが実現されてもよい。例えば、制御部１０１は、これらのハードウェアの少なくとも１つで実装されてもよい。
【００５４】
本明細書で説明した実施形態／変形例の処理手順、フローチャートなどは、矛盾の無い限り、順序を入れ替えてもよい。例えば、本明細書で説明した方法については、例示的な順序で様々なステップの要素を提示しており、提示した特定の順序に限定されない。
【００５５】
入出力された情報等は特定の場所（例えば、メモリ）に保存されてもよいし、管理テーブルで管理してもよい。入出力される情報等は、上書き、更新、または追記され得る。出力された情報等は削除されてもよい。入力された情報等は他の装置へ送信されてもよい。
【００５６】
判定は、１ビットで表される値（０か１か）によって行われてもよいし、真偽値（Boolean：trueまたはfalse）によって行われてもよいし、数値の比較（例えば、所定の値との比較）によって行われてもよい。
【００５７】
本明細書で説明した各態様／実施形態は単独で用いてもよいし、組み合わせて用いてもよいし、実行に伴って切り替えて用いてもよい。また、所定の情報の通知（例えば、「Ｘであること」の通知）は、明示的に行うものに限られず、暗黙的（例えば、当該所定の情報の通知を行わない）ことによって行われてもよい。
【００５８】
ソフトウェアは、ソフトウェア、ファームウェア、ミドルウェア、マイクロコード、ハードウェア記述言語と呼ばれるか、他の名称で呼ばれるかを問わず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行可能ファイル、実行スレッド、手順、機能などを意味するよう広く解釈されるべきである。また、ソフトウェア、命令などは、伝送媒体を介して送受信されてもよい。例えば、ソフトウェアが、同軸ケーブル、光ファイバケーブル、ツイストペアおよびデジタル加入者回線（ＤＳＬ）などの有線技術および／または赤外線、無線およびマイクロ波などの無線技術を使用してウェブサイト、サーバ、または他のリモートソースから送信される場合、これらの有線技術および／または無線技術は、伝送媒体の定義内に含まれる。
【００５９】
本明細書で説明した情報、信号などは、様々な異なる技術のいずれかを使用して表されてもよい。例えば、上記の説明全体に渡って言及され得るデータ、命令、コマンド、情報、信号、ビット、シンボル、チップなどは、電圧、電流、電磁波、磁界若しくは磁性粒子、光場若しくは光子、またはこれらの任意の組み合わせによって表されてもよい。なお、本明細書で説明した用語および／または本明細書の理解に必要な用語については、同一のまたは類似する意味を有する用語と置き換えてもよい。
【００６０】
本明細書で使用する「システム」および「ネットワーク」という用語は、互換的に使用される。
【００６１】
本明細書で使用する「判断（determining）」、「決定（determining）」という用語は、多種多様な動作を包含する場合がある。「判断」、「決定」は、例えば、判定（judging）、計算（calculating）、算出（computing）、処理（processing）、導出（deriving）、調査（investigating）、探索（looking up）（例えば、テーブル、データベースまたは別のデータ構造での探索）、確認（ascertaining）した事を「判断」「決定」したとみなす事などを含み得る。また、「判断」、「決定」は、受信（receiving）（例えば、情報を受信すること）、送信（transmitting）（例えば、情報を送信すること）、入力（input）、出力（output）、アクセス（accessing）（例えば、メモリ中のデータにアクセスすること）した事を「判断」「決定」したとみなす事などを含み得る。また、「判断」、「決定」は、解決（resolving）、選択（selecting）、選定（choosing）、確立（establishing）、比較（comparing）などした事を「判断」「決定」したとみなす事を含み得る。つまり、「判断」「決定」は、何らかの動作を「判断」「決定」したとみなす事を含み得る。
【００６２】
「接続された（connected）」、「結合された（coupled）」という用語、またはこれらのあらゆる変形は、２またはそれ以上の要素間の直接的または間接的なあらゆる接続または結合を意味し、互いに「接続」または「結合」された２つの要素間に１またはそれ以上の中間要素が存在することを含むことができる。要素間の結合または接続は、物理的なものであっても、論理的なものであっても、あるいはこれらの組み合わせであってもよい。本明細書で使用する場合、２つの要素は、１またはそれ以上の電線、ケーブルおよび／またはプリント電気接続を使用することにより、並びにいくつかの非限定的かつ非包括的な例として、無線周波数領域、マイクロ波領域および光（可視および不可視の両方）領域の波長を有する電磁エネルギーなどの電磁エネルギーを使用することにより、互いに「接続」または「結合」されると考えることができる。
【００６３】
本明細書で使用する「に基づいて」という記載は、別段に明記されていない限り、「のみに基づいて」を意味しない。言い換えれば、「に基づいて」という記載は、「のみに基づいて」と「に少なくとも基づいて」の両方を意味する。
【００６４】
上記の各装置の構成における「手段」を、「部」、「回路」、「デバイス」等に置き換えてもよい。
【００６５】
「含む（ｉｎｃｌｕｄｉｎｇ）」、「含んでいる（ｃｏｍｐｒｉｓｉｎｇ）」、およびそれらの変形が、本明細書あるいは特許請求の範囲で使用されている限り、これら用語は、用語「備える」と同様に、包括的であることが意図される。さらに、本明細書あるいは特許請求の範囲において使用されている用語「または（or）」は、排他的論理和ではないことが意図される。
【００６６】
本開示の全体において、例えば、英語でのa, an, およびtheのように、翻訳により冠詞が追加された場合、これらの冠詞は、文脈から明らかにそうではないことが示されていなければ、複数のものを含むものとする。
【００６７】
以上、本発明について詳細に説明したが、当業者にとっては、本発明が本明細書中に説明した実施形態に限定されるものではないということは明らかである。本発明は、特許請求の範囲の記載により定まる本発明の趣旨および範囲を逸脱することなく修正および変更態様として実施することができる。したがって、本明細書の記載は、例示説明を目的とするものであり、本発明に対して何ら制限的な意味を有するものではない。
【符号の説明】
【００６８】
１０…コンテンツ再生装置、２０…外部スピーカ、４０…ヘッドフォン、１０１…制御部、１０２…記憶部、１０３…出力部、１０５…通信部、１０６…近距離通信部、１０７…音声処理部、１００１…取得部、１００２…再生部、１００３…特定部、１００４…選択部、１００５…音声認識部。
【図１】
2019029828.tif 000003
【図２】
2019029828.tif 000004
【図３】
2019029828.tif 000005
【図４】
2019029828.tif 000006
【図５】
2019029828.tif 000007